(57)【特許請求の範囲】
【請求項１】
少なくとも一部の遊技球通路の下壁面に、遊技球通路内のゴミを落下させるための開口部が設けられており、その開口部と連通するように、前記遊技球通路内から落下したゴミを貯留するための粉塵貯留部が設けられた遊技機であって、
裏面側に機構板が設置されており、その機構板に、通路部材が取り外し可能に設置されているとともに、前記遊技球通路が、その通路部材に設けられており、
通路部材を機構板に設置した場合に、前記粉塵貯留部が、閉塞された状態となることを特徴とする遊技機。
【発明の詳細な説明】
【０００１】
【発明の属する技術分野】
本発明は、パチンコ機等の遊技機に関するものである。
【０００２】
【従来の技術】
遊技機の一種であるパチンコ機には、賞品球タンクと賞品球払出装置とを繋ぐ遊技球通路や入賞球トレーと入賞球排出装置とを繋ぐ遊技球通路等、種々の遊技球通路が設けられている。また、パチンコ機が長期間使用された場合には、それらの遊技球通路にゴミや埃等が流れ込んで堆積するため、遊技球通路の側壁面や下壁面等にゴミ取出用孔が設けられることがある。
【０００３】
【発明が解決しようとする課題】
ゴミ取出用孔が遊技球通路の側壁面に設けられている場合には、遊技球通路に堆積したゴミや埃等を、パチンコホールの従業員等が定期的に取り除かなければならない。また、ゴミ取出用孔が下壁面に設けられている場合には、遊技球通路にゴミや埃等が堆積しないものの、ゴミ取出用孔から落下したゴミや埃等がパチンコ機に設置された種々の作動装置や制御装置内まで流れ込み、そこで堆積し、誤動作等の原因となることもある。
【０００４】
本発明の目的は、遊技球通路へのゴミや埃等の堆積を防止することができるとともに、遊技球通路内に入り込んだゴミや埃等が作動装置や制御装置まで流れ込んだりせず、誤動作等が発生したりしない遊技機を提供することにある。
【０００５】
【課題を解決するための手段】
かかる本発明の構成は、少なくとも一部の遊技球通路の下壁面に、遊技球通路内のゴミを落下させるための開口部が設けられており、その開口部と連通するように、前記遊技球通路内から落下したゴミを貯留するための粉塵貯留部が設けられた遊技機であって、裏面側に機構板が設置されており、その機構板に、通路部材が取り外し可能に設置されているとともに、前記遊技球通路が、その通路部材に設けられており、通路部材を機構板に設置した場合に、前記粉塵貯留部が、閉塞された状態となることにある。
【０００６】
【発明の実施の形態】
以下、本発明の遊技機の一例としてのパチンコ機について、図面にしたがって詳細に説明する。
【０００７】
［実施例１］
図１は、実施例１のパチンコ機の裏面を一部省略して示したものであり、図２は、パチンコ機の側断面を示したものである。パチンコ機１は、周囲が機枠２に覆われており、その機枠２の内側に、機構板３が嵌め込まれている。図３、図４は、機構板３を示したものであり、図５は、機構板３の一部を分解して示したものである（なお、図４は、カバーを外した状態の機構板を示したものである）。機構板３には、遊技球を貯留する賞品球タンク４、賞品球タンク４内の遊技球を賞品球として払い出す賞品球払出装置５、入賞した遊技球を貯留する入賞球トレー６、入賞球トレー６内の入賞球を検出し排出する入賞球排出装置７等が設置されている。
【０００８】
賞品球タンク４の下側には、２つの遊技球通路ｔ３，ｔ４を有する傾斜樋８が連設されており、傾斜樋８の下端と賞品球払出装置５との間には、通路部材９が配置した状態になっている。図６（ａ）〜図６（ｃ）、図７は、ぞれぞれ、通路部材９の正面図、右側面図、左側面図、斜視図を示したものであり、通路部材９は、中央に仕切板１７が設けられており、その仕切板１７を介して、左右両側に、褶曲した遊技球通路ｔ１，ｔ２が配置した状態になっている。そして、それらの遊技球通路ｔ１，ｔ２、および傾斜樋８の遊技球通路ｔ３，ｔ４を介して、賞品球タンク４と賞品球払出装置５とが連通した状態になっている（図２等参照）。
【０００９】
また、通路部材９は、各遊技球通路ｔ１，ｔ２の下壁面の一部が切り欠かれており、開口部１０，１０・・が形成されている。そして、各開口部１０，１０・・の下側には、各開口部１０，１０・・と連通するように粉塵貯留部１１，１１・・が設けられており、各粉塵貯留部１１，１１・・は、通路部材９が機構板３に設置された状態においては、開口部１０以外の部分が、遊技球通路ｔ１，ｔ２の下壁面、機構板３の壁面、仕切板１７によって、閉塞された状態になっている。
【００１０】
一方、図４の如く、入賞球トレー６の下側には、遊技球通路ｔ５が設けられており、その遊技球通路ｔ５を介して、入賞球トレー６と入賞球排出装置７とが連通した状態になっている。なお、通常時には、図３の如く、入賞球トレー６、および遊技球通路ｔ５に、それぞれ、トレーカバー１４、通路カバー１５が取り付けられた状態になっている。また、遊技球通路ｔ５の下壁面の一部は、通路部材９の遊技球通路ｔ１，ｔ２と同様に切り欠かれており、開口部１０，１０が形成されている。また、各開口部１０，１０の下側には、各開口部１０，１０と連通するように粉塵貯留部１１，１１が設けられており、各粉塵貯留部１１，１１は、開口部１０以外の部分が、遊技球通路ｔ５の下壁面、機構板３の壁面、通路カバー１５の壁面によって、閉塞された状態になっている。
【００１１】
かかるパチンコ機１においては、遊技球が遊技盤１６に設置された各入賞装置（図示せず）に入賞した場合には、それらの入賞球が入賞球トレー６内に集合し、遊技球通路ｔ５を通って入賞球排出装置７まで流下し、入賞球排出装置７によって検出された後に、外部に排出される。一方、入賞球排出装置７によって、入賞球が検出された場合には、賞品球タンク４に貯留された遊技球が、遊技球通路ｔ３，ｔ１、およびｔ４，ｔ２を通って賞品球払出装置５まで流下し、賞品球払出装置５によって賞品球として前面に設置された供給皿１２に払い出される。
【００１２】
上記の如く構成されたパチンコ機１は、長期間使用され、ゴミや埃等が遊技球通路ｔ１〜ｔ５内に進入した場合であっても、それらのゴミや埃等が、図８の如く、各開口部１０，１０・・から自然に下方に落下する。したがって、遊技球通路ｔ１〜ｔ５にゴミや埃等が堆積したりせず、パチンコホールの係員等が定期的にゴミや埃等を取り除かなくても、球詰まり等のトラブルが発生したりしない。
【００１３】
また、各開口部１０，１０・・の下側には、各開口部１０，１０・・と連通するように閉塞された粉塵貯留部１１，１１・・が設けられているため、各開口部１０，１０・・から落下したゴミや埃等は、直ちに、粉塵貯留部１１，１１・・の中に貯留し、他の場所に流れ込んだりしない。それゆえ、パチンコ機１は、長期間使用された場合であっても、作動装置や制御装置へのゴミや埃等の堆積に起因した誤動作等が発生したりしない。
【００１４】
さらに、パチンコ機１は、各開口部１０，１０・・が、褶曲した遊技球通路ｔ１〜ｔ５の下壁面の一部を切り欠いたものであるとともに、各粉塵貯留部１１，１１・・が、その切り欠かれた下壁面と隣接しており下壁面の一部を含む閉塞領域であるため、粉塵貯留部１１，１１・・を有しているにも拘わらず遊技球通路ｔ１〜ｔ５の周辺構造が非常にコンパクトであり、美観にも優れている。
【００１５】
［実施例２］
実施例２の遊技機は、通路部材の各粉塵貯留部に、外部と連通した粉塵取出口が設けられている。図９は、実施例２の遊技機に設けられた通路部材を示したものであり、通路部材９ｂは、正面の壁面に、長方形状の粉塵取出口１８，１８が穿設されており、遊技球通路ｔ１側の各粉塵貯留部１１，１１が、外部と連通した状態になっている。また、遊技球通路ｔ１と遊技球通路ｔ２とを仕切っている仕切板１７に、連通孔２２，２２が穿設されており、遊技球通路ｔ１側の上方の粉塵貯留部１１と遊技球通路ｔ２側の上方の粉塵貯留部１１、および遊技球通路ｔ１側の下方の粉塵貯留部１１と遊技球通路ｔ２側の下方の粉塵貯留部１１とが、それぞれ連通した状態になっている。さらに、各粉塵取出口１８，１８には、ゴム等の弾性部材によって形成された栓部材１９，１９が、前面に突設された嵌込部２１を粉塵取出口１８内に挿入させた状態で嵌合装着されている（なお、図９においては、各栓部材１９，１９を、各粉塵取出口１８，１８から取り外した状態が示されている）。
【００１６】
上記の如く構成された実施例２の遊技機においては、各栓部材１９，１９を、各粉塵取出口１８，１８から取り外すだけで、通路部材９を機構板３から取り外すことなく、掃除機等を利用して、各粉塵貯留部１１，１１内に堆積したゴミや埃等を簡単に除去することができる。それゆえ、メンテナンスがきわめて容易である。また、通常時には、各粉塵取出口１８，１８には、栓部材１９，１９が隙間なく嵌合装着されており、各粉塵貯留部１１，１１が外部と遮断されているため、外部から各粉塵貯留部１１，１１内にゴミや埃等が入る心配はない。なお、各栓部材１９，１９は、把手部２０が設けられており、把手部２０を摘んで引っ張るだけで、各粉塵取出口１８，１８から容易に取り外すことができるので、非常に便利である。
【００１７】
なお、本発明の構成は、上記各実施形態の態様に何ら限定されるものではなく、機枠、機構板、賞品球タンク、賞品球払出装置、入賞球トレー、入賞球排出装置、傾斜樋、通路部材、遊技盤、仕切板、粉塵取出口、栓部材、連通孔等の形状、構造等を必要に応じて適宜変更することができる。
【００１８】
たとえば、遊技機は、通路部材中の遊技球通路、および入賞球トレーと入賞球排出装置とを繋ぐ遊技球通路に開口部および粉塵貯留部が設けられたものに限定されず、傾斜樋に設けられている遊技球通路等の別の遊技球通路に開口部および粉塵貯留部が設けられたものであっても良い。
【００１９】
また、開口部の形状も、上記各実施形態の如き長尺のスリット状のものに限定されず、円形状や楕円形状のものであっても良い。さらに、開口部の設置位置も、上記実施形態の如き遊技球通路の下壁面の片端縁に限定されず、遊技球通路の下壁面の両端縁であっても良いし、場合によっては、遊技球通路の下壁面の中央であっても良い。しかしながら、開口部を上記実施形態の如く、遊技球通路の下壁面の片端縁あるいは両端縁に設ける場合には、開口部の上側を遊技球が通過することがないため、遊技球の流下が阻害されず、開口部が球詰まりの原因になったりしない、というメリットがある。なお、長尺のスリット状の開口部を遊技球通路の下壁面の両端縁に設ける場合には、遊技球通路の強度を保持するために、図１０の如く、通路ｔの下壁面の両端縁に互い違いに、開口部１０，１０・・を配置することが好ましい。
【００２０】
加えて、粉塵取出口の設置位置も、上記各実施形態の如き通路部材の粉塵貯留部に限定されず、遊技球トレーと入賞球排出装置とを繋ぐ遊技球通路に隣接した粉塵貯留部等の別の粉塵貯留部に粉塵取出口を設けることも可能である。なお、遊技球トレーと入賞球排出装置とを繋ぐ遊技球通路に隣接した粉塵貯留部に粉塵取出口を設ける場合には、たとえば、通路カバーの所定位置（図３における斜線の位置）等に粉塵取出口を穿設する方法を採用することができる。このように、通路カバーの所定位置に粉塵取出口を穿設する場合には、通路カバーを機構板から取り外すことなく、掃除機等を利用して、粉塵貯留部内に堆積したゴミや埃等を簡単に除去することができる、というメリットがある。また、通路部材の粉塵貯留部に粉塵取出口を設ける場合には、実施例２の如く、片側の遊技球通路に隣接した粉塵貯留部のみに粉塵取出口を設ける構成とせず、左右両側の遊技球通路に隣接した全ての粉塵貯留部に粉塵取出口を設けることも可能であり、かかる場合には、仕切板に、連通孔を穿設する必要がない。
【００２１】
なお、上記各実施形態においては、本発明の遊技機がパチンコ機である場合の一例について説明したが、本発明の遊技機は、パチンコ球以外の遊技球を用いる遊技機等であっても良い。
【００２２】
【発明の効果】
本発明の遊技機は、長期間使用され、ゴミや埃等が遊技球通路内に入り込んだ場合であっても、それらのゴミや埃等が、各開口部から自然に下方に落下して、直ちに、粉塵貯留部の中に貯留し、他の部分に流れ込んだりしない。したがって、遊技球通路にゴミや埃等が堆積したりせず、パチンコホールの係員等が定期的にゴミや埃等を取り除かなくても、球詰まり等のトラブルが発生したりしない上、作動装置や制御装置へのゴミや埃等の堆積に起因した誤動作等が発生したりしない。
【図面の簡単な説明】
【図１】パチンコ機の裏面を一部省略して示す説明図である。
【図２】パチンコ機の側断面を示す説明図である。
【図３】機構板を示す説明図である。
【図４】カバーを外した状態の機構板を示す説明図である。
【図５】機構板の一部を分解して示す説明図である。
【図６】通路部材を示す説明図である。
【図７】通路部材を示す説明図である。
【図８】粉塵貯留部にゴミ、粉塵が堆積する状態を示す説明図である。
【図９】通路部材を示す説明図である。
【図１０】開口部の変更例を示す説明図である。
【符号の説明】
１・・パチンコ機、２・・機枠、３・・機構板、４・・賞品球タンク、５・・賞品球払出装置、６・・入賞球トレー、７・・入賞球排出装置、８・・傾斜樋、９・・通路部材、１０・・開口部、１１・・粉塵貯留部、１２・・供給皿、１３・・貯留皿、１４・・トレーカバー、１５・・通路カバー、１６・・遊技盤、１７・・仕切板、１８・・粉塵取出口、１９・・栓部材、２０・・把手部、２１・・嵌込部、２２・・連通孔、ｔ１〜ｔ５・・遊技球通路。
【図１】
0003551100.tif 000002
【図２】
0003551100.tif 000003
【図３】
0003551100.tif 000004
【図４】
0003551100.tif 000005
【図５】
0003551100.tif 000006
【図６】
0003551100.tif 000007
【図７】
0003551100.tif 000008
【図８】
0003551100.tif 000009
【図９】
0003551100.tif 000010
【図１０】
0003551100.tif 000011